【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
物体側から像側へ順に配置された、正の屈折力の第１レンズ群、負の屈折力の第２レンズ群、正の屈折力の第３レンズ群、複数のレンズ群を含む後群より構成され、ズーミングに際して隣り合うレンズ群の間隔が変化するズームレンズであって、
前記後群に含まれるレンズ群の中で最も像側に配置された最終レンズ群は負の屈折力を有し、
前記最終レンズ群の焦点距離をｆｒ、広角端における全系の焦点距離をｆｗ、望遠端における全系の焦点距離をｆｔ、広角端における前記ズームレンズのバックフォーカスをＢＦｗ、広角端から望遠端へのズーミングにおける前記第１レンズ群の移動量をｍ１、広角端から望遠端へのズーミングにおける前記第２レンズ群の移動量をｍ２とするとき、
０．０４＜｜ｆｒ｜／ｆｔ＜０．１１
０．２０＜ＢＦｗ／ｆｗ＜０．４５
０．０≦｜ｍ２／ｍ１｜＜０．５
なる条件式を満足することを特徴とするズームレンズ。
【請求項２】
前記ズームレンズの最も物体側のレンズ面から像面までの望遠端における光軸上の距離をＴＤｔとするとき、
０．５＜ＴＤｔ／ｆｔ＜１．０
なる条件式を満足することを特徴とする請求項１に記載のズームレンズ。
【請求項３】
広角端において無限遠にフォーカスしているときにおける射出瞳位置から像面までの距離をＥｐとするとき、
０．５５＜｜Ｅｐ／ｆｗ｜＜４．００
なる条件式を満足することを特徴とする請求項１又は２に記載のズームレンズ。
【請求項４】
広角端において無限遠にフォーカスしているときにおける前記最終レンズ群の横倍率をβｒｗとするとき、
１．２＜βｒｗ＜２．２
なる条件式を満足することを特徴とする請求項１乃至３のいずれか１項に記載のズームレンズ。
【請求項５】
前記第１レンズ群は、物体側から像側へ順に配置された、物体側の面が凸形状の正レンズ、物体側に凸面を向けたメニスカス形状の負レンズと正レンズとを接合した接合レンズより構成されることを特徴とする請求項１乃至４のいずれか１項に記載のズームレンズ。
【請求項６】
前記第２レンズ群は、物体側から像側へ順に配置された、負レンズと物体側に凸面を向けたメニスカス形状の正レンズとを接合した接合レンズ、両凹形状の負レンズより構成されることを特徴とする請求項１乃至５のいずれか１項に記載のズームレンズ。
【請求項７】
前記後群は、フォーカシングに際して移動するフォーカス群を有し、該フォーカス群は、正レンズと負レンズとを接合した接合レンズから構成されることを特徴とする請求項１乃至６のいずれか１項に記載のズームレンズ。
【請求項８】
前記後群は、物体側から像側へ順に配置された、負の屈折力の第４レンズ群、正の屈折力の第５レンズ群、負の屈折力の第６レンズ群より構成されることを特徴とする請求項１乃至７のいずれか１項に記載のズームレンズ。
【請求項９】
無限遠から近距離へのフォーカシングに際して、前記第４レンズ群は像側へ移動することを特徴とする請求項８に記載のズームレンズ。
【請求項１０】
広角端から望遠端へのズーミングに際して、前記第１レンズ群、前記第３レンズ群、前記第４レンズ群、前記第５レンズ群、前記第６レンズ群は物体側へ移動し、
ズーミングに際して前記第２レンズ群は不動であることを特徴とする請求項８または９に記載のズームレンズ。
【請求項１１】
広角端から望遠端へのズーミングに際して、前記第１レンズ群、前記第３レンズ群、前記第４レンズ群、前記第５レンズ群、前記第６レンズ群は物体側へ移動し、前記第２レンズ群は像側へ移動することを特徴とする請求項８または９に記載のズームレンズ。
【請求項１２】
請求項１乃至１１のいずれか１項に記載のズームレンズと、該ズームレンズによって形成される像を受光する撮像素子とを有することを特徴とする撮像装置。
【手続補正２】
【補正対象書類名】明細書
【補正対象項目名】０００９
【補正方法】変更
【補正の内容】
【０００９】
本発明のズームレンズは、物体側から像側へ順に配置された、正の屈折力の第１レンズ群、負の屈折力の第２レンズ群、正の屈折力の第３レンズ群、複数のレンズ群を含む後群より構成され、ズーミングに際して隣り合うレンズ群の間隔が変化するズームレンズであって、
前記後群に含まれるレンズ群の中で最も像側に配置された最終レンズ群は負の屈折力を有し、
前記最終レンズ群の焦点距離をｆｒ、広角端における全系の焦点距離をｆｗ、望遠端における全系の焦点距離をｆｔ、広角端における前記ズームレンズのバックフォーカスをＢＦｗ、広角端から望遠端へのズーミングにおける前記第１レンズ群の移動量をｍ１、広角端から望遠端へのズーミングにおける前記第２レンズ群の移動量をｍ２とするとき、
０．０４＜｜ｆｒ｜／ｆｔ＜０．１１
０．２０＜ＢＦｗ／ｆｗ＜０．４５
０．０≦｜ｍ２／ｍ１｜＜０．５
なる条件式を満足することを特徴としている。
【手続補正３】
【補正対象書類名】明細書
【補正対象項目名】００１３
【補正方法】変更
【補正の内容】
【００１３】
本発明のズームレンズは物体側から像側へ順に配置された、正の屈折力の第１レンズ群、負の屈折力の第２レンズ群、正の屈折力の第３レンズ群、複数のレンズ群を含む後群より構成されている。後群に含まれるレンズ群の中で最も像側の最終レンズ群は負の屈折力である。隣り合うレンズ群の間隔を変えてズーミングを行っている。
【手続補正４】
【補正対象書類名】明細書
【補正対象項目名】００２０
【補正方法】変更
【補正の内容】
【００２０】
各実施例において最終レンズ群ＬＲの焦点距離をｆｒ、広角端における全系の焦点距離をｆｗ、望遠端における全系の焦点距離をｆｔ、広角端におけるズームレンズのバックフォーカスをＢＦｗとする。広角端から望遠端へのズーミングにおける第１レンズ群Ｌ１の移動量をｍ１、広角端から望遠端へのズーミングにおける第２レンズ群Ｌ２の移動量をｍ２とする。このとき、
０．０４＜｜ｆｒ｜／ｆｔ＜０．１１  ・・・（１）
０．２０＜ＢＦｗ／ｆｗ＜０．４５    ・・・（２）
０．０≦｜ｍ２／ｍ１｜＜０．５      ・・・（３）
なる条件式を満足している。 
【手続補正５】
【補正対象書類名】明細書
【補正対象項目名】００２７
【補正方法】変更
【補正の内容】
【００２７】
０．０６＜｜ｆｒ｜／ｆｔ＜０．１０  ・・・（１ａ）
０．２２＜ＢＦｗ／ｆｗ＜０．４０    ・・・（２ａ） 
０．０≦｜ｍ２／ｍ１｜＜０．３      ・・・（３ａ）
各実施例において、最も物体側のレンズ面から像面までの望遠端における光軸上の距離（レンズ全長）をＴＤｔとする。広角端において無限遠にフォーカスしているときにおける射出瞳位置から像面までの距離をＥｐとする。広角端において無限遠にフォーカスしているときにおける最終レンズ群Ｌｒの横倍率をβｒｗとする。このとき、次の条件式のうち１以上を満足するのが良い。 
【手続補正６】
【補正対象書類名】明細書
【補正対象項目名】００３５
【補正方法】変更
【補正の内容】
【００３５】
図１の実施例１では、広角端から望遠端へのズーミングに際して、第１レンズ群Ｌ１、第３レンズ群Ｌ３乃至第６レンズ群Ｌ６は物体側へ移動し、ズーミングに際して第２レンズ群Ｌ２は不動である。図３の実施例２、図５の実施例３、図７の実施例４では広角端から望遠端へのズーミングに際して、第１レンズ群Ｌ１、第３レンズ群Ｌ３乃至第６レンズ群Ｌ６は物体側へ移動し、第２レンズ群Ｌ２は像側へ移動する。
【手続補正７】
【補正対象書類名】明細書
【補正対象項目名】００３７
【補正方法】変更
【補正の内容】
【００３７】
最終レンズ群Ｌｒは１以上の非球面を有している。これにより、広角端における歪曲収差等を良好に補正している。第１レンズ群Ｌ１は、物体側から像側へ順に配置された、物体側の面が凸形状の正レンズ、物体側に凸面を向けたメニスカス形状の負レンズと正レンズとを接合した接合レンズより構成される。これによりコマ収差や望遠端において球面収差等を良好に補正している。物体側から像側へ順に、第２レンズ群は、物体側から像側へ順に配置された、負レンズと物体側に凸面を向けたメニスカス形状の正レンズとを接合した接合レンズ、両凹形状の負レンズより構成される。
【手続補正８】
【補正対象書類名】明細書
【補正対象項目名】００３８
【補正方法】変更
【補正の内容】
【００３８】
これにより、広角端から望遠端へのズーミングに伴う収差変動を軽減している。後群ＬＲはフォーカシングに際して移動するフォーカス群Ｌｆを有し、フォーカス群Ｌｆは正レンズと負レンズとを接合した接合レンズから構成される。これにより、フォーカシングに伴う収差変動を軽減している。また、フォーカスレンズ群のレンズ枚数が少ないことにより、より素早いフォーカシングを容易にしている。